(57)【要約】【課題】  用紙の削減を図ることができるとともに、作業者の作業効率を向上させることができる印字データ作成装置、印字データ作成方法および印字データ作成プログラムを提供する。【解決手段】  ＣＰＵ１は、ＰＯＰ広告の印字レイアウトを示す情報を読み込む。次に、ＣＰＵ１は、横向きの用紙上にＰＯＰ広告の印字レイアウトを配置した状態をディスプレイに表示するよう指示する。次に、ＣＰＵ１は、ＰＯＰ広告の印字レイアウトの短尺が用紙の短尺の１／２以下であるか否かを判別する。ＰＯＰ広告の印字レイアウトの短尺が用紙の短尺の１／２以下である場合、ＣＰＵ１は、ＰＯＰ広告の印字レイアウトを分割し、分割されたＰＯＰ広告の印字レイアウトを各用紙に上下に配置した状態をディスプレイに表示するよう指示する。【選択図】        図６
2005144827.tif 000002
【特許請求の範囲】
【請求項１】
商品に関連する商品関連情報を印字するための印字データを作成する印字データ作成装置であって、
商品関連情報の印字内容、印字サイズおよび印字レイアウトを示す印字レイアウト情報を入力する入力手段と、
前記入力手段により入力された前記印字レイアウト情報に基づいて印字内容を横向きの用紙に配置した場合に印字に必要な用紙の枚数および配置を判別し、前記入力手段により入力された前記印字レイアウト情報に基づいて印字内容を縦向きの用紙に配置した場合に印字に必要な用紙の枚数および配置を判別する判別手段と、
前記判別手段による判別結果に基づいて横向きの用紙への配置および縦向きの用紙への配置のうちいずれかを選択するための選択手段と、
前記選択手段により選択された配置で印字内容を印字するための印字データを作成する印字データ作成手段とを備えたことを特徴とする印字データ作成装置。
【請求項２】
前記判別手段は、前記印字内容を横向きの用紙に配置した場合に前記印字内容の短尺が用紙の短尺の２分の１以下であるか否かを判別し、前記印字内容の短尺が用紙の短尺の２分の１以下である場合に前記印字内容を複数の部分に分割し、分割された各部分を横向きの用紙の上部領域または下部領域に配置することを特徴とする請求項１記載の印字データ作成装置。
【請求項３】
前記判別手段は、前記印字内容を縦向きの用紙に配置した場合に前記印字内容の短尺が用紙の長尺の２分の１以下であるか否かを判別し、前記印字内容の短尺が用紙の長尺の２分の１以下である場合に前記印字内容を複数の部分に分割し、分割された各部分を縦向きの用紙の上部領域または下部領域に配置することを特徴とする請求項１または２記載の印字データ作成装置。
【請求項４】
前記印字データ作成手段は、用紙の印字可能範囲の角部および用紙の前記上部領域と前記下部領域との境界を示す情報を印字するためのデータを前記印字データとともに作成することを特徴とする請求項２または３記載の印字データ作成装置。
【請求項５】
商品に関連する商品関連情報を印字するための印字データを作成する印字データ作成装置であって、
商品関連情報を印字すべき商品を示す商品情報を記憶する第１の記憶手段と、
商品関連情報を商品情報とともに外部から取得する取得手段と、
前記取得手段により取得された商品関連情報を商品情報とともに記憶する第２の記憶手段と、
前記第２の記憶手段に記憶された商品関連情報を印字するための印字データを作成する印字データ作成手段と、
前記第２の記憶手段に記憶された商品情報が前記第１の記憶手段に記憶されているか否かを識別するための識別情報を前記第２の記憶手段に記憶させる識別情報付加手段とを備えたことを特徴とする印字データ作成装置。
【請求項６】
商品に関連する商品関連情報を印字するための印字データを作成する印字データ作成方法であって、
商品関連情報の印字内容、印字サイズおよび印字レイアウトを示す印字レイアウト情報を入力するステップと、
入力された前記印字レイアウト情報に基づいて印字内容を横向きの用紙に配置した場合に印字に必要な用紙の枚数および配置を判別し、入力された前記印字レイアウト情報に基づいて印字内容を縦向きの用紙に配置した場合に印字に必要な用紙の枚数および配置を判別するステップと、
判別結果に基づいて横向きの用紙への配置および縦向きの用紙への配置のうちいずれかを選択するステップと、
選択された配置で印字内容を印字するための印字データを作成するステップとを備えたことを特徴とする印字データ作成方法。
【請求項７】
商品に関連する商品関連情報を印字するための印字データを作成するコンピュータにより実行可能な印字データ作成プログラムであって、
商品関連情報の印字内容、印字サイズおよび印字レイアウトを示す印字レイアウト情報を入力する処理と、
入力された前記印字レイアウト情報に基づいて印字内容を横向きの用紙に配置した場合に印字に必要な用紙の枚数および配置を判別し、入力された前記印字レイアウト情報に基づいて印字内容を縦向きの用紙に配置した場合に印字に必要な用紙の枚数および配置を判別する処理と、
判別結果に基づいて横向きの用紙への配置および縦向きの用紙への配置のうちいずれかを選択する処理と、
選択された配置で印字内容を印字するための印字データを作成する処理とを、前記コンピュータに実行させることを特徴とする印字データ作成プログラム。
【発明の詳細な説明】
【技術分野】
【０００１】
本発明は、広告等を印字するための印字データ作成装置、印字データ作成方法および印字データ作成プログラムに関する。
【背景技術】
【０００２】
従来より、スーパーマーケットや商店等の店内および店頭においては、商品の紹介やセール内容の広告を掲示するために、ＰＯＰ（Point Of Purchase）広告が広く用いられている。近年、ＰＯＰ広告の内容およびレイアウトを含む印字データを印字データ作成装置（通常、パーソナルコンピュータ）によって編集し、この印字データをプリンタに出力し、ＰＯＰ広告を印字することが普及しつつある。
【０００３】
上記の印字データ作成装置を用いて作成されたＰＯＰ広告のレイアウトを分割して複数枚の用紙に印字する場合がある（例えば、特許文献１参照）。
【特許文献１】特開２００１−２０９６３４号公報
【発明の開示】
【発明が解決しようとする課題】
【０００４】
しかしながら、ＰＯＰ広告のレイアウトを分割して複数枚の用紙に印字すると、各用紙において、印字がされない余白が生じる場合がある。その結果、用紙の無駄が発生する。
【０００５】
一方、商品を取り扱う各店舗は、各店舗を統括する本部からＰＯＰ広告の印字データを取得する。そして、各店舗は、取得した印字データに基づきＰＯＰ広告を作成する。
【０００６】
この場合、上記本部は、各店舗分の印字データを一括して作成し、各店舗に共通の印字データを送信する。そのため、各店舗に送信された印字データには、店舗によっては取り扱っていない商品に関する印字データが含まれる。それにより、店舗は、取り扱っていない商品のＰＯＰ広告を印字する。これにより、無駄な用紙が発生するとともに、取り扱っていない商品のＰＯＰ広告を掲示する場所を無駄に探してしまうこととなり、作業者の作業効率が低下している。
【０００７】
本発明の目的は、用紙の削減を図ることができるとともに、作業者の作業効率を向上させることができる印字データ作成装置、印字データ作成方法および印字データ作成プログラムを提供することである。
【課題を解決するための手段】
【０００８】
第１の発明に係る印字データ作成装置は、商品に関連する商品関連情報を印字するための印字データを作成する印字データ作成装置であって、商品関連情報の印字内容、印字サイズおよび印字レイアウトを示す印字レイアウト情報を入力する入力手段と、入力手段により入力された印字レイアウト情報に基づいて印字内容を横向きの用紙に配置した場合に印字に必要な用紙の枚数および配置を判別し、入力手段により入力された印字レイアウト情報に基づいて印字内容を縦向きの用紙に配置した場合に印字に必要な用紙の枚数および配置を判別する判別手段と、判別手段による判別結果に基づいて横向きの用紙への配置および縦向きの用紙への配置のうちいずれかを選択するための選択手段と、選択手段により選択された配置で印字内容を印字するための印字データを作成する印字データ作成手段とを備えたものである。
【０００９】
本発明に係る印字データ作成装置においては、入力手段により入力された印字レイアウト情報に基づいて、印字内容を横向きの用紙に配置した場合および印字内容を縦向きの用紙に配置した場合に印字に必要な用紙の枚数および配置が判別手段により判別される。作業者は、判別手段による判別結果に基づいて横向きの用紙への配置および縦向きの用紙への配置のうちいずれかを選択手段により選択することができ、選択された配置での印字データが印字データ作成手段により作成される。
【００１０】
このように、印字内容を横向きの用紙に配置した場合および印字内容を縦向きの用紙に配置した場合に印字に必要な用紙の枚数および配置が判別手段により判別されるので、作業者は、判別手段による判別結果に基づいて横向きの用紙への配置および縦向きの用紙への配置のうちいずれかを選択することができる。それにより、印字に必要な用紙の枚数を削減することができる。
【００１１】
判別手段は、印字内容を横向きの用紙に配置した場合に印字内容の短尺が用紙の短尺の２分の１以下であるか否かを判別し、印字内容の短尺が用紙の短尺の２分の１以下である場合に印字内容を複数の部分に分割し、分割された各部分を横向きの用紙の上部領域または下部領域に配置してもよい。
【００１２】
この場合、横向きの用紙の上部領域または下部領域における余白部分を印字領域として使用することができる。それにより、印字に必要な用紙の枚数を削減することができる。
【００１３】
判別手段は、印字内容を縦向きの用紙に配置した場合に印字内容の短尺が用紙の長尺の２分の１以下であるか否かを判別し、印字内容の短尺が用紙の長尺の２分の１以下である場合に印字内容を複数の部分に分割し、分割された各部分を縦向きの用紙の上部領域または下部領域に配置してもよい。
【００１４】
この場合、縦向きの用紙の上部領域または下部領域における余白部分を印字領域として使用することができる。それにより、印字に必要な用紙の枚数を削減することができる。
【００１５】
印字データ作成手段は、用紙の印字可能範囲の角部および用紙の上部領域と下部領域との境界を示す情報を印字するためのデータを印字データとともに作成してもよい。
【００１６】
この場合、印字可能範囲の角部および用紙の上部領域と下部領域との境界を示す情報が印字データとともに用紙に印字される。それにより、作業者は用紙の断裁を容易に行うことができる。
【００１７】
第２の発明に係る印字データ作成装置は、商品に関連する商品関連情報を印字するための印字データを作成する印字データ作成装置であって、商品関連情報を印字すべき商品を示す商品情報を記憶する第１の記憶手段と、商品関連情報を商品情報とともに外部から取得する取得手段と、取得手段により取得された商品関連情報を商品情報とともに記憶する第２の記憶手段と、第２の記憶手段に記憶された商品関連情報を印字するための印字データを作成する印字データ作成手段と、第２の記憶手段に記憶された商品情報が第１の記憶手段に記憶されているか否かを識別するための識別情報を第２の記憶手段に記憶させる識別情報付加手段とを備えたものである。
【００１８】
本発明に係る印字データ作成装置においては、商品関連情報を印字すべき商品を示す商品情報が第１の記憶手段に記憶され、取得手段により取得された商品関連情報が商品情報とともに第２の記憶手段に記憶される。また、第２の記憶手段に記憶された商品情報が第１の記憶手段に記憶されているか否かを識別するための識別情報が識別情報付加手段により第２の記憶手段に記憶される。さらに、第２の記憶手段に記憶された商品関連情報に基づく印字データが印字データ作成手段により作成される。
【００１９】
この場合、第１の記憶手段に店舗が取り扱っている商品の商品情報を記憶させ、第２の記憶手段に外部から取得した商品関連情報を商品情報とともに記憶させることにより、作業者は、第２の記憶手段に記憶された商品関連情報のうち店舗で取り扱っている商品に対する商品関連情報を識別情報に基づいて容易に判断することができる。それにより、取り扱っていない商品の印字データを印字することが防止される。その結果、印字のための用紙の無駄を削減することができるとともに、作業者の作業効率も向上する。
【００２０】
第３の発明に係る印字データ作成方法は、商品に関連する商品関連情報を印字するための印字データを作成する印字データ作成方法であって、商品関連情報の印字内容、印字サイズおよび印字レイアウトを示す印字レイアウト情報を入力するステップと、入力された印字レイアウト情報に基づいて印字内容を横向きの用紙に配置した場合に印字に必要な用紙の枚数および配置を判別し、入力された印字レイアウト情報に基づいて印字内容を縦向きの用紙に配置した場合に印字に必要な用紙の枚数および配置を判別するステップと、判別結果に基づいて横向きの用紙への配置および縦向きの用紙への配置のうちいずれかを選択するステップと、選択された配置で印字内容を印字するための印字データを作成するステップとを備えたものである。
【００２１】
本発明に係る印字データ作成方法においては、入力された印字レイアウト情報に基づいて、印字内容を横向きの用紙に配置した場合および印字内容を縦向きの用紙に配置した場合に印字に必要な用紙の枚数および配置が判別される。作業者は、判別結果に基づいて横向きの用紙への配置および縦向きの用紙への配置のうちいずれかを選択することができ、選択された配置での印字データが作成される。
【００２２】
このように、印字内容を横向きの用紙に配置した場合および印字内容を縦向きの用紙に配置した場合に印字に必要な用紙の枚数および配置が判別されるので、作業者は、判別結果に基づいて横向きの用紙への配置および縦向きの用紙への配置のうちいずれかを選択することができる。それにより、印字に必要な用紙の枚数を削減することができる。
【００２３】
第４の発明に係る印字データ作成プログラムは、商品に関連する商品関連情報を印字するための印字データを作成するコンピュータにより実行可能な印字データ作成プログラムであって、商品関連情報の印字内容、印字サイズおよび印字レイアウトを示す印字レイアウト情報を入力する処理と、入力された印字レイアウト情報に基づいて印字内容を横向きの用紙に配置した場合に印字に必要な用紙の枚数および配置を判別し、入力された印字レイアウト情報に基づいて印字内容を縦向きの用紙に配置した場合に印字に必要な用紙の枚数および配置を判別する処理と、判別結果に基づいて横向きの用紙への配置および縦向きの用紙への配置のうちいずれかを選択する処理と、選択された配置で印字内容を印字するための印字データを作成する処理とを、コンピュータに実行させるものである。
【００２４】
本発明に係る印字データ作成プログラムにおいては、入力された印字レイアウト情報に基づいて、印字内容を横向きの用紙に配置した場合および印字内容を縦向きの用紙に配置した場合に印字に必要な用紙の枚数および配置が判別される。作業者は、判別結果に基づいて横向きの用紙への配置および縦向きの用紙への配置のうちいずれかを選択することができ、選択された配置での印字データが作成される。
【００２５】
このように、印字内容を横向きの用紙に配置した場合および印字内容を縦向きの用紙に配置した場合に印字に必要な用紙の枚数および配置が判別されるので、作業者は、判別結果に基づいて横向きの用紙への配置および縦向きの用紙への配置のうちいずれかを選択することができる。それにより、印字に必要な用紙の枚数を削減することができる。
【発明の効果】
【００２６】
本発明によれば、印字内容を横向きの用紙に配置した場合および印字内容を縦向きの用紙に配置した場合に印字に必要な用紙の枚数および配置が判別手段により判別されるので、作業者は、判別手段による判別結果に基づいて横向きの用紙への配置および縦向きの用紙への配置のうちいずれかを選択することができる。それにより、印字に必要な用紙の枚数を削減することができる。
【００２７】
また、第１の記憶手段に店舗が取り扱っている商品の商品情報を記憶させ、第２の記憶手段に外部から取得した商品関連情報を商品情報とともに記憶させることにより、作業者は、第２の記憶手段に記憶された商品関連情報のうち店舗で取り扱っている商品に対する商品関連情報を識別情報に基づいて容易に判断することができる。それにより、取り扱っていない商品の印字データを印字することが防止される。その結果、印字のための用紙の無駄を削減することができるとともに、作業者の作業効率も向上する。
【発明を実施するための最良の形態】
【００２８】
以下、本発明の実施の形態について図面を参照しながら説明する。
【００２９】
図１は本実施の形態に係る印字データ作成装置の印字システムの構成を示す模式図である。
【００３０】
図１に示すように、印字システムは、店舗コンピュータ１００ａ，１００ｂ，１００ｃおよびマスタサーバ２００から構成される。マスタサーバ２００は、本部ホストコンピュータ２０１、商品マスタデータベース２０２、ＰＯＰ（購買時点広告：Point Of Purchase）用データベース２０３およびＰＯＳ（販売時点情報管理：Point Of Sales）関連特売商品マスタデータベース２０４を含む。
【００３１】
店舗コンピュータ１００ａ，１００ｂ，１００ｃおよびマスタサーバ２００は、インターネット３００を介して互いに通信可能に接続されている。
【００３２】
商品マスタデータベース２０２には、各商品ごとの商品コード、商品名、商品価格等の情報を含む商品マスタが格納されている。ＰＯＰ用データベース２０３には、商品のＰＯＰ情報が格納されている。また、ＰＯＳ関連特売商品マスタデータベース２０４には、特売商品情報の商品マスタが格納されている。
【００３３】
図２は図１の店舗コンピュータ１００ａの構成を示すブロック図である。なお、店舗コンピュータ１００ｂ，１００ｃの構成は、店舗コンピュータ１００ａの構成と同様である。
【００３４】
図２に示すように、店舗コンピュータ１００ａは、複数のパーソナルコンピュータ５００、ストアサーバ４００およびプリンタ６００を含む。本実施の形態では、パーソナルコンピュータ５００が印字データ作成装置に相当する。
【００３５】
ストアサーバ４００は、商品マスタデータベース４０１、ＰＯＰ用データベース４０２およびＰＯＳ関連特売商品マスタデータベース４０３を含む。
【００３６】
複数のパーソナルコンピュータ５００は、それぞれストアサーバ４００に接続されている。複数のパーソナルコンピュータ５００のいずれか一台には、プリンタ６００が接続されている。なお、本実施の形態では、複数のパーソナルコンピュータ５００のいずれか一台にプリンタ６００を接続することとしたが、複数のパーソナルコンピュータ５００のいずれか複数台または全てにプリンタ６００を接続してもよい。
【００３７】
商品マスタデータベース４０１には、マスタサーバ２００から取り込んだ商品マスタおよび店舗が作成した商品マスタが格納される。ＰＯＰ用データベース４０２には、マスタサーバ２００から取り込んだ商品のＰＯＰ情報および店舗が作成したＰＯＰ情報が格納される。また、ＰＯＳ関連特売商品マスタデータベース４０３には、マスタサーバ２００から取り込んだ特売商品の商品マスタおよび店舗が作成した特売商品の商品マスタが格納される。
【００３８】
図３は図２のパーソナルコンピュータ５００の構成を示すブロック図である。
【００３９】
図３に示すように、パーソナルコンピュータ５００は、ＣＰＵ（中央演算処理装置）１、ＲＯＭ（リードオンリメモリ）２、ディスプレイ３、入力部４、外部記憶装置５、ＲＡＭ（ランダムアクセスメモリ）６、記録媒体駆動装置７、記録媒体８および通信制御装置９を備える。入力部４は、タッチパネル、キーボードおよびマウス等からなる。
【００４０】
パーソナルコンピュータ５００のＲＯＭ２にはシステムプログラムが記憶される。記録媒体駆動装置７は、ＣＤ−ＲＯＭドライブ、フロッピィディスクドライブ等からなり、ＣＤ−ＲＯＭ、フロッピィディスク等の記録媒体８に対してデータの読み書きを行う。記録媒体８には、印字データ作成プログラムが記録されている。
【００４１】
外部記憶装置５は、ハードディスク装置等からなり、記録媒体駆動装置７を介して記録媒体８から読み込まれた印字データ作成プログラムを記憶する。また、外部記憶装置５は、チラシデータ５ａ、店舗ストコンデータ５ｂおよびチラシ用ＰＯＰテーブル５ｃを記憶する。チラシデータ５ａ、店舗ストコンデータ５ｂおよびチラシ用ＰＯＰテーブル５ｃについては後述する。なお、店舗ストコンデータとは、店舗ストアコンピュータデータの略称である。
【００４２】
ＣＰＵ１は、外部記憶装置５に記憶された印字データ作成プログラムをＲＡＭ６上で実行する。そして、ＣＰＵ１は、ＲＡＭ６上の印字プログラムに基づき、入力部４により与えられる信号に応じてプリンタ６００へ印字指示を行う。
【００４３】
なお、印字データ作成プログラムを記録する記録媒体８として、半導体メモリ、ハードディスク等の種々の記録媒体を用いることができる。また、印字プログラムを通信回線から通信制御装置９を介して外部記憶装置５にダウンロードし、ＲＡＭ６上で実行してもよい。
【００４４】
図４はパーソナルコンピュータ５００の外部記憶装置５に保存される各種データの一例を示す説明図である。図４（ａ）はチラシデータ５ａの一例を示す説明図であり、図４（ｂ）は店舗ストコンデータ５ｂの一例を示す説明図であり、図４（ｃ）はチラシ用ＰＯＰテーブル５ｃの一例を示す説明図である。なお、作業者は、ディスプレイ３によりチラシデータ５ａ、店舗ストコンデータ５ｂおよびチラシ用ＰＯＰテーブル５ｃを視認することができる。
【００４５】
図４（ａ）に示すように、チラシデータ５ａには、商品コード、その商品コードに対応する商品名の情報および印字レイアウト情報が含まれる。この印字レイアウト情報には、印字すべき文字列、フォント、色、大きさ、レイアウト等の情報が含まれる。なお、図４（ａ）における印字レイアウト情報においては、代表的に印字すべき文字列のみを示す。
【００４６】
チラシデータ５ａは、各店舗を統括するマスタサーバ２００によって作成され、マスタサーバ２００が各店舗の店舗コンピュータ１００ａ，１００ｂ，１００ｃにチラシデータ５ａを送信する。この場合、上記マスタサーバ２００は、各店舗分のチラシデータ５ａを一括して作成し、共通のチラシデータ５ａを各店舗の店舗コンピュータ１００ａ，１００ｂ，１００ｃに送信するため、チラシデータ５ａには、店舗によっては取り扱っていない商品コードが含まれる。
【００４７】
なお、本実施の形態では、本部のマスタサーバ２００が各店舗の店舗コンピュータ１００ａ，１００ｂ，１００ｃにチラシデータ５ａを送信することとしたが、各店舗の店舗コンピュータ１００ａ，１００ｂ，１００ｃがマスタサーバ２００からダウンロードすることによりチラシデータ５ａを取り込んでもよい。
【００４８】
図４（ｂ）に示すように、店舗ストコンデータ５ｂには、店舗が取り扱う商品の商品コードおよびその商品コードに対応する商品名の情報が含まれる。
【００４９】
図４（ｃ）に示すように、チラシ用ＰＯＰテーブル５ｃには、商品コードの情報、商品コードに対応する商品名、ストコン有フラグ、用紙、必要枚数、印字終了枚数の情報および印字レイアウト情報が含まれる。以下、必要枚数の情報および印字レイアウト情報を含む情報を印字構成情報と称する。ＰＯＰ広告は、チラシ用ＰＯＰテーブル５ｃに格納されている商品コードに対応して作成される。
【００５０】
ここで、チラシデータ５ａの商品コードが店舗ストコンデータ５ｂにも格納されていれば、チラシ用ＰＯＰテーブル５ｃにおいてその商品コードに対応するストコン有フラグが「１」に設定される。また、チラシデータ５ａの商品コードが店舗ストコンデータ５ｂに格納されていなければ、チラシ用ＰＯＰテーブル５ｃにおいてその商品コードに対応するストコン有フラグが「０」に設定される。
【００５１】
チラシ用ＰＯＰテーブル５ｃの用紙の情報は用紙サイズを示し、予め作業者により設定される。また、チラシ用ＰＯＰテーブル５ｃの必要枚数の情報はＰＯＰ広告を印字するのに必要な用紙の枚数を示し、印字終了枚数の情報は、前述の必要枚数のうち印字が終了した用紙の枚数を示す。
【００５２】
必要枚数の情報は、パーソナルコンピュータ５００のＣＰＵ１により決定され、チラシ用ＰＯＰテーブル５ｃに格納される。また、印字終了枚数の情報は、ＰＯＰ広告の印字終了後、ＣＰＵ１によりチラシ用ＰＯＰテーブル５ｃに格納されるとともにディスプレイ３に表示される。
【００５３】
次に、本実施の形態に係るパーソナルコンピュータ５００の後述する印字処理によって印字されるＰＯＰ広告について説明する。
【００５４】
図５はＰＯＰ広告の印字レイアウトおよびＰＯＰ広告の印字レイアウトの配置例を示す説明図である。図５（ａ）はＰＯＰ広告の印字レイアウトの一例を示す説明図であり、図５（ｂ）はＰＯＰ広告の印字レイアウトを横向きの用紙に配置した状態の一例を示す説明図であり、図５（ｃ）はＰＯＰ広告の印字レイアウトを縦向きの用紙に配置した状態の一例を示す説明図であり、図５（ｄ）はＣＰＵ１の印字処理により分割された後のＰＯＰ広告の印字レイアウトを用紙に配置した状態の一例を示す説明図である。
【００５５】
図５（ａ）に示すように、ＰＯＰ広告の印字レイアウトの短尺をＨとし、長尺をＷとする。
【００５６】
図５（ｂ）に示すように、図５（ａ）に示すＰＯＰ広告の印字レイアウトを横方向の用紙に配置すると３枚の用紙が必要となる。また、図５（ｃ）に示すように、図５（ａ）に示すＰＯＰ広告の印字レイアウトを縦方向の用紙に配置すると４枚の用紙が必要となる。ここで、用紙の短尺をＬ１とし、長尺をＬ２とする。
【００５７】
図５（ｃ）に示すように、ＰＯＰ広告の印字レイアウトの短尺Ｈが用紙の長尺Ｌ２の１／２以下である場合、４枚の用紙の下半分に余白が発生する。この場合、図５（ｄ）に示すように、ＣＰＵ１によりＰＯＰ広告の印字レイアウトが適当な位置で分割され、分割されたＰＯＰ広告の印字レイアウトが用紙の上下の位置に配置される。これにより、ＰＯＰ広告を印字するのに必要な用紙の枚数は２枚となる。その結果、図５（ｂ）に示す場合と比べ用紙を削減することができる。
【００５８】
なお、用紙の印字可能範囲内において、分割されたＰＯＰ広告の印字レイアウトの上下位置の境界および印字可能範囲の角部に断裁線ＭＲを印字することにより、用紙の断裁を容易にすることができる。
【００５９】
図６および図７は本実施の形態に係るパーソナルコンピュータ５００によるＰＯＰ広告の印字処理を示すフローチャートである。
【００６０】
図６に示すように、ＣＰＵ１は、本部のマスタサーバ２００によって送信されたチラシデータ５ａをストアサーバ４００から取り込む（ステップＳ１）。次に、ＣＰＵ１は、取り込んだチラシデータ５ａと外部記憶装置５に記憶されている店舗ストコンデータ５ｂよりチラシ用ＰＯＰテーブル５ｃを作成する（ステップＳ２）。この場合、チラシ用ＰＯＰテーブル５ｃのストコン有フラグに「１」または「０」が設定される。
【００６１】
次に、ＣＰＵ１は、作成されたチラシ用ＰＯＰテーブル５ｃに含まれる印字対象のＰＯＰ広告の印字レイアウトを示す情報を読み込む（ステップＳ３）。
【００６２】
続いて、ＣＰＵ１は、横向きの用紙上にＰＯＰ広告の印字レイアウトを配置した状態をディスプレイ３に表示するよう指示する（ステップＳ４）。この場合、ＣＰＵ１は、ＰＯＰ広告の印字レイアウトの配置および印字に必要な用紙の必要枚数の情報を印字構成情報として記憶する。
【００６３】
次に、ＣＰＵ１は、ＰＯＰ広告の印字レイアウトの短尺Ｈが用紙の短尺Ｌ１の１／２以下であるか否かを判別する（ステップＳ５）。ＰＯＰ広告の印字レイアウトの短尺Ｈが用紙の短尺Ｌ１の１／２以下である場合、ＣＰＵ１は、ＰＯＰ広告の印字レイアウトを分割し、分割されたＰＯＰ広告の印字レイアウトを各用紙に上下に配置した状態をディスプレイ３に表示するよう指示する（ステップＳ６）。この場合、ＣＰＵ１は、ＰＯＰ広告の印字レイアウトの配置および印字に必要な用紙の必要枚数の情報を印字構成情報として記憶する。
【００６４】
次に、ＣＰＵ１は、縦向きの用紙上にＰＯＰ広告の印字レイアウトを配置した状態をディスプレイ３に表示するように指示する（ステップＳ７）。ステップＳ５において、ＰＯＰ広告の印字レイアウトの短尺Ｈが用紙の短尺Ｌ１の１／２以下でない場合は、上記ステップＳ７の処理に進む。
【００６５】
次に、ＣＰＵ１は、ＰＯＰ広告の印字レイアウトの短尺Ｈが用紙の長尺Ｌ２の１／２以下であるか否かを判別する（ステップＳ８）。ＰＯＰ広告の印字レイアウトの短尺Ｈが用紙の長尺Ｌ２の１／２以下である場合、ＣＰＵ１は、ＰＯＰ広告の印字レイアウトを分割し、分割されたＰＯＰ広告の印字レイアウトを各用紙に上下に配置した状態をディスプレイ３に表示するよう指示する（ステップＳ９）。この場合、ＣＰＵ１は、ＰＯＰ広告の印字レイアウトの配置および印字に必要な用紙の必要枚数の情報を印字構成情報として記憶する。ステップＳ８において、ＰＯＰ広告の印字レイアウトの短尺Ｈが用紙の長尺Ｌ２の１／２以下でない場合は、上記ステップＳ１０の処理に進む。
【００６６】
次に、ＣＰＵ１は、印字に必要な用紙の最小枚数およびＰＯＰ広告の印字レイアウトを配置した状態をディスプレイ３に表示するよう指示する（図７のステップＳ１０）。
【００６７】
次に、ＣＰＵ１は、作業者による印字指示命令が入力されたか否かを判別する（ステップＳ１１）。この場合、作業者は、上記ステップＳ４，Ｓ６，Ｓ７，Ｓ９においてディスプレイ３に表示されたＰＯＰ広告の印字レイアウトの配置の状態から１つまたは２つ以上を選択する。
【００６８】
次に、作業者による印字指示が入力された場合、ＣＰＵ１は、チラシ用ＰＯＰテーブル５ｃに用紙の必要枚数を格納する（ステップＳ１２）。ステップＳ１１において、作業者による印字指示が入力されない場合、ＣＰＵ１は、作業者による印字指示の入力を待つ。
【００６９】
次に、ＣＰＵ１は、作業者により選択されたＰＯＰ広告の印字レイアウトの配置の状態に対応する印字構成情報を選択し、選択された印字構成情報に基づいてプリンタ６００へ印字構成情報に基づいてＰＯＰ広告を印字するための印字データを出力する（ステップＳ１３）。次に、ＣＰＵ１は、チラシ用ＰＯＰテーブル５ｃに印字終了枚数を格納する（ステップＳ１４）。
【００７０】
本実施の形態に係る印字データ作成装置においては、ＰＯＰ広告の印字レイアウトを横向きの用紙に配置した場合およびＰＯＰ広告の印字レイアウトを縦向きの用紙に配置した場合に印字に必要な用紙の枚数および配置がＣＰＵ１により判別されることにより、作業者は、ＣＰＵ１による判別結果に基づいて横向きの用紙への配置および縦向きの用紙への配置のうちいずれかを選択することができる。それにより、印字に必要な用紙の枚数を削減することができる。この場合、横向きの用紙または縦向きの用紙における上部領域または下部領域における余白部分を印字領域として使用できる。
【００７１】
また、本実施の形態に係る印字データ作成プログラムにおいては、作業者がチラシ用ＰＯＰテーブル５ｃのストコン有フラグを視認することにより、店舗が商品を取り扱っているか否かを判別すことができる。それにより、店舗が取り扱っていない商品のＰＯＰ広告を印字することが防止されるとともに、誤って印字されたＰＯＰ広告を掲示する場所を探すこともなくなる。その結果、ＰＯＰ広告の印字用紙の無駄を削減することができるとともに、作業者の作業効率も向上する。
【００７２】
さらに、店舗ストコンデータ５ｂに未登録の商品であっても今回から取り扱う商品であれば、作業者がチラシ用ＰＯＰテーブル５ｃのストコン有フラグを視認することによりすぐに判別することができる。これにより、ＰＯＰ広告の印字し忘れを防止することができる。
【００７３】
本実施の形態においては、商品コードが商品情報に相当し、ＰＯＰ広告が商品関連情報に相当し、入力部４が入力手段および選択手段に相当し、ＣＰＵ１が判別手段、印字データ作成手段および識別情報付加手段に相当し、外部記憶装置５が第１の記憶手段および第２の記憶手段に相当し、通信制御装置９およびインターネット３００が取得手段に相当し、ストコン有フラグが識別情報に相当する。
【産業上の利用可能性】
【００７４】
本発明は、広告等の印字を行うための印字データ作成装置として利用することができる。
【図面の簡単な説明】
【００７５】
【図１】本実施の形態に係る印字データ作成装置の印字システムの構成を示す模式図である。
【図２】図１の店舗コンピュータの構成を示すブロック図である。
【図３】図２のパーソナルコンピュータの構成を示すブロック図である。
【図４】パーソナルコンピュータの外部記憶装置に保存される各種データの一例を示す説明図である。
【図５】ＰＯＰ広告の印字レイアウトおよびＰＯＰ広告の印字レイアウトの配置例を示す説明図である。
【図６】本実施の形態に係るパーソナルコンピュータによるＰＯＰ広告の印字処理を示すフローチャートである。
【図７】本実施の形態に係るパーソナルコンピュータによるＰＯＰ広告の印字処理を示すフローチャートである。
【符号の説明】
【００７６】
１  ＣＰＵ
２  ＲＯＭ
３  ディスプレイ
４  入力部
５  外部記憶装置
５ａ  チラシデータ
５ｂ  店舗ストコンデータ
５ｃ  チラシ用ＰＯＰテーブル
６  ＲＡＭ
７  記録媒体駆動装置
８  記録媒体
９  通信制御装置
１００ａ，１００ｂ，１００ｃ  店舗コンピュータ
２００  マスタサーバ
３００  インターネット
４００  ストアサーバ
５００  パーソナルコンピュータ
６００  プリンタ
【図１】
2005144827.tif 000003
【図２】
2005144827.tif 000004
【図３】
2005144827.tif 000005
【図４】
2005144827.tif 000006
【図５】
2005144827.tif 000007
【図６】
2005144827.tif 000008
【図７】
2005144827.tif 000009